(57)【要約】【課題】  記録媒体の容量が少ない場合であっても、静止画像データを動画像データに変換して記録可能とすることを課題とする。【解決手段】  複数の静止画像データを動画像データに変換するための変換手段（１０８）と、前記変換した動画像データを記録媒体に記録する動画記録手段（１０７）と、前記変換手段において変換される動画像データのデータ量を算出する動画容量算出手段（１０９）と、前記記録媒体の残容量を算出する残容量算出手段（１１０）と、前記記録媒体の残容量が前記変換手段により得られる動画像データのデータ量より少ない場合、前記変換手段により得られる動画像データのデータ量が前記残容量よりも少なくなるよう前記複数の静止画像データの中から一部の静止画像データを選択し、前記選択した一部の静止画像データを動画像データに変換するよう前記変換手段を制御する制御手段（１０７）とを備える画像処理装置が提供される。【選択図】        図１
2007081463.tif 000002
【特許請求の範囲】
【請求項１】
複数の静止画像データを動画像データに変換するための変換手段と、
前記変換した動画像データを記録媒体に記録する動画記録手段と、
前記変換手段において変換される動画像データのデータ量を算出する動画容量算出手段と、
前記記録媒体の残容量を算出する残容量算出手段と、
前記記録媒体の残容量が前記変換手段により得られる動画像データのデータ量より少ない場合、前記変換手段により得られる動画像データのデータ量が前記残容量よりも少なくなるよう前記複数の静止画像データの中から一部の静止画像データを選択し、前記選択した一部の静止画像データを動画像データに変換するよう前記変換手段を制御する制御手段とを備えることを特徴とする画像処理装置。
【請求項２】
前記制御手段は、前記複数の静止画像データを全て変換することにより得られる前記動画像データのデータ量よりも前記記録媒体の残容量が多い場合、前記全ての静止画像データを選択して前記動画像データに変換するよう前記変換手段を制御することを特徴とする請求項１記載の画像処理装置。
【請求項３】
前記変換手段は、前記静止画像データをＭＰＥＧ方式のＩピクチャに変換することを特徴とする請求項１又は２記載の画像処理装置。
【請求項４】
前記複数の静止画像データのうちの一部を任意に指定するユーザインターフェースを有し、前記制御手段は前記ユーザインターフェースにより指定された静止画像データを前記一部の静止画像データとして選択することを特徴とする請求項１〜３のいずれか１項に記載の画像処理装置。
【請求項５】
複数の静止画像データを動画像データに変換するための変換手段と、
前記変換した動画像データを記録媒体に記録する動画記録手段と、
前記変換手段において変換される動画像データのデータ量を算出するための動画容量算出手段と、
前記記録媒体の残容量を算出する残容量算出手段と、
前記記録媒体の残容量が前記変換手段により変換される動画像データのデータ量より少ない場合、前記変換手段により得られる動画像データのデータ量が前記残容量よりも少なくなるよう前記静止画像データの画面サイズを縮小し、前記縮小した静止画像データを前記動画像データに変換するよう前記変換手段を制御する制御手段とを備えることを特徴とする画像処理装置。
【請求項６】
前記制御手段は、前記静止画像データをそれぞれ所定のサイズに変換した後変換される動画像データのデータ量よりも前記残容量との方が多い場合、前記静止画像データの画面サイズを前記所定のサイズよりも縮小すること無く前記動画像データに変換するよう前記変換手段を制御することを特徴とする請求項５記載の画像処理装置。
【請求項７】
前記制御手段は、前記静止画像データをそれぞれ前記所定のサイズの１／ｎ（ｎは２以上の整数）に縮小して前記動画像データに変換するよう前記変換手段を制御することを特徴とする請求項６記載の画像処理装置。
【請求項８】
前記変換手段は、前記静止画像データをＭＰＥＧ方式のＩピクチャに変換することを特徴とする請求項５〜７のいずれか１項に記載の画像処理装置。
【請求項９】
さらに、静止画像データを動画像データに変換指示するためのユーザインターフェースを有することを特徴とする請求項５〜８のいずれか１項に記載の画像処理装置。
【請求項１０】
前記制御手段は、前記記録媒体の残容量が前記変換後の動画像データのデータ量より少ない場合、所定数の前記縮小した静止画像データを合成して一画面の静止画像データを生成し、この合成後の静止画像データを動画像データに変換するよう前記変換手段を制御することを特徴とする請求項５記載の画像処理装置。
【請求項１１】
複数の静止画像データを動画像データに変換するための変換手段と、前記変換した動画像データを記録媒体に記録する動画記録手段とを用いた画像処理方法であって、
前記変換手段において変換される動画像データのデータ量を算出する動画容量算出ステップと、
前記記録媒体の残容量を算出する残容量算出ステップと、
前記記録媒体の残容量が前記変換手段により得られる動画像データのデータ量より少ない場合、前記変換手段により得られる動画像データのデータ量が前記残容量よりも少なくなるよう前記複数の静止画像データの中から一部の静止画像データを選択し、前記選択した一部の静止画像データを動画像データに変換するよう前記変換手段を制御する制御ステップとを備えることを特徴とする画像処理方法。
【請求項１２】
複数の静止画像データを動画像データに変換するための変換手段と、前記変換した動画像データを記録媒体に記録する動画記録手段とを用いた画像処理方法であって、
前記変換手段において変換される動画像データのデータ量を算出するための動画容量算出ステップと、
前記記録媒体の残容量を算出する残容量算出ステップと、
前記記録媒体の残容量が前記変換手段により変換される動画像データのデータ量より少ない場合、前記変換手段により得られる動画像データのデータ量が前記残容量よりも少なくなるよう前記静止画像データの画面サイズを縮小し、前記縮小した静止画像データを前記動画像データに変換するよう前記変換手段を制御する制御ステップとを備えることを特徴とする画像処理方法。
【発明の詳細な説明】
【技術分野】
【０００１】
本発明は、画像処理装置及び方法に関する。
【背景技術】
【０００２】
近年、記録媒体としてＤＶＤなどの大容量ディスク記録媒体を用いるデジタルビデオカメラが考えられている。このようなディスク記録媒体を用いるデジタルビデオカメラにおいても、動画像だけではなく、静止画像も動画とは別に記録し、その両方を利用できるようにしたいとする要求が高い。
【０００３】
ＤＶＤに対して動画像を記録する場合には、以下のデジタル動画フォーマットを用いることになる。デジタル動画フォーマットは、データ圧縮方式としてＭＰＥＧ方式を用いたＤＶＤビデオフォーマット（ＤＶＤ Video Format）、ＤＶＤビデオレコーディングフォーマット（ＤＶＤ Video Recording Format）などである。ＭＰＥＧはMoving Picture Experts Groupである。また、静止画を記録する場合には、例えば、ＪＰＥＧ（Joint Photographic Experts Group）方式に従って画像データを符号化し、ＤＣＦ（Design rule for camera file system）方式に応じたデータ構造で記録することになる。
【０００４】
しかし、従来、動画像の記録時には動画用のフォーマットで記録し、静止画の記録時には静止画用のフォーマットで記録する必要がある。また、これらの動画、静止画を再生する場合には、それぞれの記録フォーマットに対応したデコーダが必要になる。通常ＪＰＥＧデコーダを備えていないＤＶＤ再生機器、ＤＶＤ記録再生機器ではＤＶＤデジタルビデオカメラで記録したＪＰＥＧ方式の静止画データを利用することが出来なかった。
【０００５】
このため、例えば、特許文献１に記載されているように、ＪＰＥＧ方式でデータ圧縮された静止画データをＭＰＥＧ方式のＩピクチャに変換してディスクに追加記録することが提案されている。そして、ＪＰＥＧデコーダを持たない再生装置においても、ＭＰＥＧ方式のＩピクチャの形式とされた静止画データを所定時間分ずつ表示することができる。
【０００６】
【特許文献１】特開２００４−２０１１７０号公報
【発明の開示】
【発明が解決しようとする課題】
【０００７】
しかしながら、上述した特許文献１においては、ディスクの残容量が不足していた場合、ＭＰＥＧ方式のＩピクチャに変換した静止画データをディスクに記録できない。使用者はＤＶＤ再生機器、ＤＶＤ記録再生機器でＭＰＥＧ方式に変換したＩピクチャを見ることが出来ないという問題があった。
【０００８】
本発明はこの様な問題を解決し、記録媒体の容量が少ない場合であっても、静止画像データを動画像データに変換して記録可能とすることを目的とする。
【課題を解決するための手段】
【０００９】
本発明の画像処理装置は、複数の静止画像データを動画像データに変換するための変換手段と、前記変換した動画像データを記録媒体に記録する動画記録手段と、前記変換手段において変換される動画像データのデータ量を算出する動画容量算出手段と、前記記録媒体の残容量を算出する残容量算出手段と、前記記録媒体の残容量が前記変換手段により得られる動画像データのデータ量より少ない場合、前記変換手段により得られる動画像データのデータ量が前記残容量よりも少なくなるよう前記複数の静止画像データの中から一部の静止画像データを選択し、前記選択した一部の静止画像データを動画像データに変換するよう前記変換手段を制御する制御手段とを備えることを特徴とする。
また、本発明の画像処理装置は、複数の静止画像データを動画像データに変換するための変換手段と、前記変換した動画像データを記録媒体に記録する動画記録手段と、前記変換手段において変換される動画像データのデータ量を算出するための動画容量算出手段と、前記記録媒体の残容量を算出する残容量算出手段と、前記記録媒体の残容量が前記変換手段により変換される動画像データのデータ量より少ない場合、前記変換手段により得られる動画像データのデータ量が前記残容量よりも少なくなるよう前記静止画像データの画面サイズを縮小し、前記縮小した静止画像データを前記動画像データに変換するよう前記変換手段を制御する制御手段とを備えることを特徴とする。
また、本発明の画像処理方法は、複数の静止画像データを動画像データに変換するための変換手段と、前記変換した動画像データを記録媒体に記録する動画記録手段とを用いた画像処理方法であって、前記変換手段において変換される動画像データのデータ量を算出する動画容量算出ステップと、前記記録媒体の残容量を算出する残容量算出ステップと、前記記録媒体の残容量が前記変換手段により得られる動画像データのデータ量より少ない場合、前記変換手段により得られる動画像データのデータ量が前記残容量よりも少なくなるよう前記複数の静止画像データの中から一部の静止画像データを選択し、前記選択した一部の静止画像データを動画像データに変換するよう前記変換手段を制御する制御ステップとを備えることを特徴とする。
また、本発明の画像処理方法は、複数の静止画像データを動画像データに変換するための変換手段と、前記変換した動画像データを記録媒体に記録する動画記録手段とを用いた画像処理方法であって、前記変換手段において変換される動画像データのデータ量を算出するための動画容量算出ステップと、前記記録媒体の残容量を算出する残容量算出ステップと、前記記録媒体の残容量が前記変換手段により変換される動画像データのデータ量より少ない場合、前記変換手段により得られる動画像データのデータ量が前記残容量よりも少なくなるよう前記静止画像データの画面サイズを縮小し、前記縮小した静止画像データを前記動画像データに変換するよう前記変換手段を制御する制御ステップとを備えることを特徴とする。
【発明の効果】
【００１０】
静止画データを動画像データに変換し記録媒体に記録する際、記録媒体の残容量が不十分な場合、動画像データの容量を小さくし、記録媒体に記録することができる。
【発明を実施するための最良の形態】
【００１１】
以下、図面を参照しながら本発明の好適な実施の形態を説明する。
（第１の実施形態）
以下に説明する実施形態においては、記録装置、記録方法を、書き込み可能なＤＶＤを記録媒体として用いるＤＶＤデジタルビデオカメラ（以下、ＤＶＤビデオカメラ）に適用した場合を例にして説明する。本実施形態のＤＶＤビデオカメラは、以下の２つのデジタル動画フォーマットのいずれにも対応できるものである。そのデジタル動画フォーマットは、ＤＶＤビデオフォーマット（ＤＶＤ Video Format）とＤＶＤビデオレコーディングフォーマット（ＤＶＤ Video Recording Format）である。
【００１２】
＜ＤＶＤビデオカメラの構成について＞
図１は、本発明の第１の実施形態のＤＶＤビデオカメラ（記録再生装置）１００の構成例を説明するためのブロック図である。図１において、ディスク１１２、記録媒体１１１は、本実施形態のＤＶＤビデオカメラに装填され、動画像データ、静止画データが記録される記録媒体である。記録媒体１１１の例としてメモリカードがあげられる。
【００１３】
１０１は被写体からの光を電気信号に変換する、レンズ、ＣＣＤなど画像（撮像）素子を含むレンズユニット、１０２はレンズユニット１０１からの信号を画像データへ変換するカメラ信号処理部である。１０３はカメラ信号処理部から出力される画像データを用いてＭＰＥＧデータまたはＪＰＥＧへ圧縮しバッファメモリ１０４へ出力する機能をもつＭＰＥＧ／ＪＰＥＧコーデックである。また、コーデック１０３は、バッファメモリ１０４に保持されているＭＰＥＧデータまたはＪＰＥＧデータを伸張し、表示出力１０５へ画像データを出力する機能をもつ。１０４はコーデック１０３から出力されるＭＰＥＧ／ＪＰＥＧデータを一時的に保持するバッファメモリ、１０５はコーデック１０４で変換された画像データを読み出し、ＬＣＤ、外部機器等の表示デバイスへ出力信号を出力する表示出力部である。１０６は使用者とのインターフェースとなる操作キー（ユーザインターフェース）、１０７はＤＶＤビデオカメラ１００全体を制御するＣＰＵである。１０８はディスク１１２または記録媒体１１１から読み出されたデジタル静止画フォーマットの静止画データ（ＪＰＥＧ方式でデータ圧縮されている静止画データ）をＭＰＥＧ方式のＩピクチャ形式のデータに変換するフォーマット変換部である。すなわち、フォーマット変換部１０８は、あらかじめ決められた所定のデジタル動画フォーマット、例えば、ＤＶＤビデオフォーマット、あるいはＤＶＤビデオレコーディングフォーマットの記録用データを形成しディスク１１２に出力する。１０９はフォーマット変換部１０８で生成する記録用データの容量を算出する記録容量算出部、１１０はディスク１１２の記録可能な残容量を算出するディスク残容量算出部である。
【００１４】
＜動画像の記録時の動作について＞
本実施形態のＤＶＤビデオカメラは、以下に説明するように、画像を動画像として撮影してＤＶＤに記録することができるとともに、画像を静止画像として撮影してＤＶＤに記録することができるものである。
【００１５】
本実施形態のＤＶＤビデオカメラの使用者は、操作キー部１０６の所定の操作キーを操作して、本実施形態のＤＶＤビデオカメラをいつでも撮影を開始することが可能な状態であるスタンバイ状態にする。そして、操作キー部１０６の撮影開始キー（ＲＥＣキー）を操作することにより、ＤＶＤビデオカメラは、レンズユニット１０１が捉えている画像を動画像として撮影して、これをディスク１１２に記録する動作を行う。
【００１６】
この場合、レンズユニット１０１からの動画像信号は、コーデック１０３に供給され、ここでＡ／Ｄ変換されてデジタル動画像データとされた後、ＭＰＥＧ方式でデータ圧縮される。ＣＰＵ１０７の制御プログラムは、ＭＰＥＧ方式でデータ圧縮されたデータを当該ＤＶＤビデオカメラに装填されているディスク１１２の記録フォーマット（デジタル動画フォーマット）に応じた記録用データに変換し、ディスク１１２に書き込みを行う。
【００１７】
＜静止画像の記録時の動作について＞
また、使用者は、本実施形態のＤＶＤビデオカメラをスタンバイ状態にし、操作キー部１０６のシャッターキーを操作する。これにより、ＤＶＤビデオカメラは、レンズユニット部１０１の電子式シャッターが動作して、レンズユニット部１０１が捉えている画像を静止画像として撮影し、これをディスク１１２に記録する動作を行う。
【００１８】
この場合、レンズユニット部１０１からの静止画像信号は、コーデック１０３に供給され、ここでＡ／Ｄ変換されてデジタル静止画像データとされた後、ＪＰＥＧ方式でデータ圧縮される。ＣＰＵ１０７の制御プログラムは、ＪＰＥＧフォーマット（デジタル静止画フォーマット）の記録用データを形成し、ディスク１１２に静止画像データとして記録する。
【００１９】
このように、本実施形態のＤＶＤビデオカメラにおいては、デジタル動画フォーマットの動画像データと、デジタル静止画フォーマットの静止画像データとを、撮影の都度、記録媒体であるディスク１１２上の適宜の位置に記録する。これによって、動画像データと静止画像データとをディスク１１２において混在して記録することができるようにしている。すなわち、動画像データの記録領域と静止画像データの記録領域とを記録媒体であるディスク１１２上に予め分けて設けるようにすることはない。
【００２０】
次に、静止画像データから動画像データのフォーマット変換について説明する。本実施形態のＤＶＤビデオカメラにおいては、使用者からの操作キー１０６の指示に応じたタイミング、あるいは記録に用いられたディスク１１２が取り出されるようにされた時などの必要があるとＣＰＵ１０７が判断したタイミングで、以下の処理を行う。すなわち、ＤＶＤビデオカメラは、記録に用いられたディスク１１２又は記録媒体１１１にデジタル静止画フォーマットで記録されている静止画像データを読み出し、これをデジタル動画フォーマットのデータに変換し、ディスク１１２に追加記録する処理を行う。
【００２１】
具体的には、図２を用いて説明する。図２は、静止画像の選択処理を示すフローチャートである。ステップＳ２０１では、ＣＰＵ１０７の制御プログラムは使用者からのユーザインターフェース１０６の指示に応じたタイミングで、記録データ容量算出部１０９を制御する。記録データ容量算出部１０９は、ディスク１１２または記録媒体１１１に記録されている全静止画像データを読み出し、フォーマット変換部１０８で動画記録データに変換した場合の動画記録データ容量を算出する。
【００２２】
次に、ＣＰＵ１０７の制御プログラムはディスク残容量算出部１１０を制御し、ディスク１１２の記録可能な残容量の算出し、図示しないメモリに算出結果を保持する（Ｓ２０２）。
【００２３】
次に、ＣＰＵ１０７の制御プログラムは算出した動画記録データ容量とディスク残容量を比較する（Ｓ２０３）。ディスク残容量が記録データ容量より多い場合は、ディスク１１２または記録媒体１１１に記録されている全静止画像データを選択し（Ｓ２０８）、ステップＳ２０９の処理に移る。ディスク残容量が動画記録データ容量より少ない場合は、ＣＰＵ１０７の制御プログラムは表示出力部１０５に表示された静止画を使用者に選択させるモードに移行する（Ｓ２０４）。ＣＰＵ１０７の制御プログラムは使用者が選択した静止画分を記録データ容量の累積値を算出し（Ｓ２０５）、操作キー１０６より使用者から選択終了の指示がないか確認する（Ｓ２０６）。指示があった場合は、ステップＳ２０７の処理に移る。指示が無かった場合は、ステップＳ２０４へ戻り、ステップＳ２０４〜Ｓ２０６の処理を行う。ステップＳ２０７では、ＣＰＵ１０７の制御プログラムは、図示しないメモリに保持されたディスクの残容量と算出した記録データ容量の累積値を比較する。ディスク残容量が動画記録データ容量の累積値より小さい場合はステップＳ２０４に戻り、Ｓ２０４〜Ｓ２０７の処理を行う。使用者が選択した静止画像データを変換した場合の記録データ容量の累積値がディスク残容量より小さくなるまで上述の処理を繰り返す。小さくなったら、ステップＳ２０９へ進む。
【００２４】
次に、ステップＳ２０９では、ＣＰＵ１０７の制御プログラムは、ステップＳ２０４またはＳ２０８で選択されたディスク１１２または記録媒体１１１の静止画データを読み出し、これをバッファメモリ１０４を介してフォーマット変換部１０８に供給する。フォーマット変換部１０８は、ディスク１１２または記録媒体１１１から読み出されたデジタル静止画フォーマットの静止画データ（ＪＰＥＧ方式でデータ圧縮されている静止画データ）を一旦デコードする。そして、デコードした静止画像データの画面サイズを所定のサイズ、例えば、ＶＧＡサイズ（縦４８０画素×横６４０画素）に変換する。そして、これら静止画像データを再び符号化し、ＭＰＥＧ方式のＩピクチャ形式のデータに変換する。そして、１まとまりのデータ（1タイトル分のデータ）とし、決められた所定のデジタル動画フォーマット、すなわち、本実施形態においては、ＤＶＤビデオフォーマット、あるいはＤＶＤビデオレコーディングフォーマットの記録用データを形成する。そして、バッファメモリ１０４を通じてディスク１１２に記録する。ここで、Ｉピクチャは、フレーム符号化ピクチャであり、そのフレーム画像だけで符号化する画像である。
【００２５】
ここで、上述したステップＳ２０４〜Ｓ２０６における表示出力部１０５のイメージを図３に示す。図３は、本実施形態のＤＶＤビデオカメラにおいて、装填されたディスク１１２と記録媒体１１１に記録されている画像データを再生する場合であって、目的とする画像データを選択する場合の画面の表示例を説明するためのものである。
【００２６】
図３において、メニュー項目３０１〜３０３が示すように、本実施形態のＤＶＤビデオカメラにおいては、動画像を再生するのか、静止画像を再生するのかの選択を行うことができるようにしている。また静止画像の選択に関しては、メニュー項目３０２，３０３が示すように、ディスク１１２に記録したもの、記録媒体（メモリカード）１１１に記録したものの選択を行うことができるようになっている。
【００２７】
本実施形態ではディスク１１２の静止画像、すなわちメニュー項目３０２を選択した場合について説明する。
【００２８】
この場合、ＣＰＵ１０７の制御プログラムは、表示出力部１０５に例えば６個のサブ画面を設けるようにし、その６個のサブ画面に対して、ＪＰＥＧ方式でデータ圧縮された静止画像データを表示するようにする。また、ＣＰＵ１０７の制御プログラムは、前述した静止画選択処理（Ｓ２０４）で使用者が選択した静止画像には、例えば３０４、３０５で示すように淵に色をつける。
【００２９】
本実施形態では、表示出力部１０５で表示するサブ画面は６個としたがこれに限らない。また、選択した静止画像には縁に色をつけるとしたがこれに限らない。
【００３０】
（第２の実施形態）
第１の実施形態では、ディスク１１２の残容量が十分にない場合、使用者に選択された静止画像データのみをＭＰＥＧ方式のＩピクチャ形式のデータに変換しディスク１１２に記録する方法について説明した。第２の実施形態ではディスク１１２の残容量が十分にない場合でもすべての静止画像データをＭＰＥＧ方式のＩピクチャ形式のデータに変換しディスク１１２に記録する方法について説明する。
【００３１】
具体的には、図４を用いて説明する。図４は、静止画像のリサイズ処理を示すフローチャートである。ステップＳ４０１では、ＣＰＵ１０７の制御プログラムは使用者からの指示に応じたタイミングで、記録データ容量算出部１０９を制御する。記録データ容量算出部１０９は、ディスク１１２または記録媒体１１１に記録されている全静止画像データからフォーマット変換部１０８で記録データに変換した場合の容量を算出する。
【００３２】
次に、ＣＰＵ１０７の制御プログラムは、ディスク残容量算出部を制御し、ディスク１１２の記録可能な残容量の算出し、図示しないメモリに保持する（Ｓ４０２）。
【００３３】
次に、ＣＰＵ１０７の制御プログラムは、算出した記録データ容量とディスク残容量を比較する（Ｓ４０３）。記録データ容量がディスク残容量より少ない場合は、ディスク１１２または記録媒体１１１に記録されている全静止画像データを選択し（Ｓ４０７）、ステップＳ４０８の処理に移る。記録データ容量がディスク残容量より多い場合は、ＣＰＵ１０７の制御プログラムは、各静止画データの画面サイズを所定の画面サイズの１／ｎに縮小して動画像データに変換した場合のデータ量を算出する（Ｓ４０５）。ここで、ｎは、２以上の整数である。本実施形態では、例えば、各静止画像データの画面サイズをＶＧＡサイズの１／４のサイズに縮小し、これを動画像データに変換した場合のデータ量を求める。そして、算出したデータ量と図示しないメモリに保持されたディスクの残容量とを比較する（Ｓ４０６）。記録データ容量がディスク残容量より大きい場合は、ステップＳ４０４に戻る。リサイズした記録データ容量がディスク残容量より小さくなるまで上述の処理を繰り返す。小さくなったらステップＳ４０８へ進む。
【００３４】
ステップＳ４０８では、ＣＰＵ１０７の制御プログラムは、ディスク１１２または記録媒体１１１の静止画データを読み出し、これをバッファメモリ１０４を介してフォーマット変換部１０８に供給する。フォーマット変換部１０８は、ディスク１１２または記録媒体１１１から読み出されたデジタル静止画フォーマットの静止画データ（ＪＰＥＧ方式でデータ圧縮されている静止画データ）をそれぞれデコードする。そして、各静止画像データの画面サイズをＳ４０５にて決定したサイズに縮小する。そして、縮小した各静止画像データをＭＰＥＧ方式のＩピクチャ形式のデータに変換する。そして、１まとまりのデータ（1チャプタ分のデータ）とし、決められた所定のデジタル動画フォーマット、すなわち、本実施形態においては、ＤＶＤビデオフォーマット、あるいはＤＶＤビデオレコーディングフォーマットの記録用データを形成する。そして、ディスク１１２に記録する。
【００３５】
ここで、上述したステップＳ４０４〜Ｓ４０６におけるリサイズ後の１枚の静止画像のイメージを図５に示す。７０１は１回目のリサイズ結果の１枚の静止画像のイメージである。４枚の静止画を動画サイズにリサイズし、１枚の静止画像にまとめている。すなわち、１枚の静止画は、１／４に縮小される。７０２は２回目のリサイズ結果の１枚の静止画像のイメージである。１６枚の静止画をさらに１／４（合計１／１６）縮小し、１枚の静止画像にまとめている。
【００３６】
本実施形態では、リサイズの割合は１／４単位としたがこの限りではない。また、静止画像データ、動画データのサイズを１６：９としたがこの限りではない。
また、縮小したｎ画面の静止画像データを一画面に合成した後、動画像データに変換していたが、縮小した静止画像データを一画面づつＭＰＥＧのＩピクチャに変換することも可能である。また、縮小後の画面サイズも、ＶＧＡサイズの１／ｎに限らず、他のサイズとしてもよい。
【００３７】
以上説明したように、第１及び第２の実施形態によれば、ディスク１１２の残容量が十分にない場合でも変換した記録データをディスク１１２に追加記録出来ないという問題がなくなる。ＭＰＥＧ方式のデコーダを備えた再生機器であれば、本実施形態のＤＶＤビデオカメラにより撮影されてディスク１１２にデジタル動画フォーマットで記録された動画像と静止画像との両方を再生して利用することが出来る。
【００３８】
すなわち、ＪＰＥＧ方式でデータ圧縮された静止画データをＭＰＥＧ方式のＩピクチャに変換しディスクに追加記録する際、ディスクの残容量が不十分な場合、ＭＰＥＧ方式のＩピクチャに変換した記録データ容量を小さくし、ディスクに記録することが出来る。
【００３９】
第１の実施形態によれば、使用者は所望の静止画像の画質を落とすことなくＭＰＥＧ方式のＩピクチャに変換した動画データを、ＭＰＥＧデコーダを備えたＤＶＤ再生機器、ＤＶＤ記録再生機器で見ることができる。
【００４０】
第２の実施形態によれば、すべての静止画を見たい使用者は、動画フレームの画質を落とすことなく、リサイズされたすべての静止画をＭＰＥＧ方式のＩピクチャに変換した動画データを、ＭＰＥＧデコーダを備えたＤＶＤ再生機器で見ることができる。また、ＭＰＥＧデコーダを備えたＤＶＤ記録再生機器で見ることができる。
【００４１】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４２】
【図１】記録再生装置のブロック構成図である。
【図２】静止画像の選択処理を示すフローチャートである。
【図３】目的とする画像データを選択する場合の画面の表示例を示す図である。
【図４】静止画像のリサイズ処理を示すフローチャートである。
【図５】リサイズ後の１枚の静止画像のイメージを示す図である。
【符号の説明】
【００４３】
１００  ＤＶＤビデオカメラ
１０１  レンズユニット
１０２  カメラ信号処理部
１０３  コーデック
１０４  バッファメモリ
１０５  表示出力部
１０６  操作キー
１０７  ＣＰＵ
１０８  フォーマット変換部
１０９  記録データ容量算出部
１１０  ディスク残容量算出部
１１１  記録媒体
１１２  ディスク
【図１】
2007081463.tif 000003
【図２】
2007081463.tif 000004
【図３】
2007081463.tif 000005
【図４】
2007081463.tif 000006
【図５】
2007081463.tif 000007